(57)【要約】      （修正有）【課題】使用者が被めっき物をワーク収容領域に置くだけで、被めっき物を設置し固定する動作を直ちに完成でき、かつ、前記導電端子を被めっき物のめっき部位に直接に当接させることで、複数回調整する面倒と不便を省くことができる電気メッキ用ラックを提供する。【解決手段】電気めっき用ラックは、支持プレート２と位置決め板３とを互いに合わせることにより構成されている。ここで、支持プレートには、少なくとも１つのワーク収容領域２１と複数の位置決め突起２３とが設けられている。位置決め板３には、導電棒と複数の突起用貫通孔とが設けられている。前記突起用貫通孔により、位置決め板３を支持プレート２にしっかりと固定させることができ、また、導電棒には、ワーク収容領域に対応するように少なくとも１つの導電押圧バーが延設され、導電棒の末端の導電端子をワーク収容領域２１の中に突出させる。【選択図】図４
0003183212.tif 000002
【実用新案登録請求の範囲】
【請求項１】
電気めっき用ラックであって、
被めっき物の外形に応じた複数のストッパにより区画された少なくとも１つのワーク収容領域が設けられた支持プレートと、
前記支持プレート上に設置される位置決め板と、を含み、
前記支持プレートの両端にそれぞれ複数の位置決め突起が設けられ、
前記位置決め板における前記それぞれの位置決め突起に対応する箇所に、前記それぞれの位置決め突起を貫通させるための複数の突起用貫通孔が設けられ、前記支持プレートが前記位置決め板にしっかりと固定されるようになり、
前記位置決め板の前記支持プレートに接する側の反対側に導電棒が設けられ、前記導電棒には、前記ワーク収容領域に対応するように少なくとも１つの導電押圧バーが延設され、且つ、前記導電押圧バーの導電端子が前記被めっき物におけるめっき領域に当接するようになっていることを特徴とする電気めっき用ラック。
【請求項２】
前記支持プレートの両側面には互いに対応するように複数の位置決め片が設けられ、且つ、前記それぞれの位置決め片には位置決め挿入バーを挿入させるための挿入孔を設けることにより、前記位置決め板を押し当てることを特徴とする請求項１に記載の電気めっき用ラック。
【請求項３】
前記支持プレート及び前記位置決め板は、低導電性材料であることを特徴とする請求項１に記載の電気めっき用ラック。
【請求項４】
前記位置決め板には前記導電端子を貫通させるための少なくとも１つの導電端子用貫通孔が設けられていることを特徴とする請求項１に記載の電気めっき用ラック。
【考案の詳細な説明】
【技術分野】
【０００１】
本考案は、電気めっきプロセスにおける補助具に関するものであり、特に、使用者が被めっき物を電気めっき用ラックに引っ掛けて設置する工程を簡単に完成できる電気めっき用ラックに関するものである。
【背景技術】
【０００２】
従来より、一般の製品をめっきする場合には、被めっき物を電気めっき用ラックに挟んでから、電気めっき用ラック及び被めっき物を一緒にめっき装置に入れて、めっきを行わなければならない。図５を参照すると、従来の電気めっき用ラックは、ラック本体１０の上端にフック１１を有し、かつ、ラック本体１０の片側に少なくとも一つの導電棒１２を設け、導電棒１２の一端がラック本体１０に連結され、他端が導電端子１２１を形成する。また、ラック本体１０における導電棒１２に対応する位置に挟持部１３が設置されている。挟持部１３は、複数の固定バー１３１から形成され、挟持部１３を利用して被めっき物を挟持する。かつ、導電棒１２の導電端子１２１と被めっき物のめっき領域（図示せず）が接触するように調整する。
【０００３】
被めっき物を挟持部１３に設置する場合には、使用者は、被めっき物を支持するために挟持部１３の固定バー１３１を逐一調整し、かつ、被めっき物を挟持部１３に設置した後、被めっき物と接触するように導電端子１２１を逐一調整しなければならない。このように繰り返すのが面倒な設置方式は、使用者には不評であった。
【考案の概要】
【考案が解決しようとする課題】
【０００４】
本考案は、上記従来技術の問題及び欠点に鑑みて、便利で速く、かつ確実に被めっき物を配列し所定の位置に配置できるとともに、導電端子への対応設置を直ちに完成できる電気めっき用ラックを提供することを目的とする。
【課題を解決するための手段】
【０００５】
上記目的を達成するため、本考案が提供する電気めっき用ラックは、支持プレートと位置決め板とを互いに合わせることにより構成されている。ここで、支持プレートには、少なくとも１つのワーク収容領域と複数の位置決め突起とが設けられている。位置決め板には、導電棒と複数の突起用貫通孔とが設けられている。前記突起用貫通孔により、位置決め板を支持プレートにしっかりと固定させることができ、また、導電棒がワーク収容領域に対応して少なくとも１つの導電押圧バーを延設して、導電棒の末端の導電端子をワーク収容領域の中に突出させる。上記構成要素により、使用者が被めっき物を位置決め板に合わせてワーク収容領域に直接に設置することができ、すなわち、各導電押圧バーの導電端子を被めっき物のめっき部位に直接に押し当てさせることで、調整のプロセスおよび面倒を完全に省くことができる。
【図面の簡単な説明】
【０００６】
【図１】本考案の実施例に係る電気めっき用ラックの概略図である。
【図２】本考案の実施例に係る電気めっき用ラックの部分分解概略図である。
【図３】本考案の実施例に係る電気めっき用ラックの部分概略図である。
【図４】本考案の実施例に係る図３に示す電気めっき用ラックの断面概略図である。
【図５】従来の電気めっき用ラックの概略図である。
【考案を実施するための形態】
【０００７】
以下、本考案の実施例に係る電気めっき用ラックについて、関連する図面を参照しつつ説明する。本考案の実施形態を理解するため、以下、同一部材には同一符号を付与して説明する。
【０００８】
図１〜４を参照すると、本考案が提供する電気めっき用ラックは、低導電性材料からなる支持プレート２と位置決め板３とを互いに合わせることにより構成され、ここで、
前記支持プレート２には、少なくとも１つのワーク収容領域２１と、複数の位置決め突起２３と、複数の位置決め片２２と、それに合わせた複数の位置決め挿入バー２３とが設けられている。ワーク収容領域２１は、被めっき物４の外形を模した複数のストッパ２１１により区画されている。これによって、被めっき物４をワーク収容領域２１に直接に配置して位置を決めることができる。位置決め突起２３は、支持プレート２上におけるワーク収容領域２１に対応した両端部に設置されている。また、支持プレート２の両側面２４に設置された各位置決め片２２が挿入孔２２１を有し、位置決めバー２５が２つの対応した位置決め片２２の挿入孔２２１を貫通する。
【０００９】
前記位置決め板３には、導電棒３１と、複数の導電端子用貫通孔３３と、複数の突起用貫通孔３４とが設けられている。導電棒３１は、位置決め板３におけるワーク収容領域２１と密着する面の反対側の面に設置され、その一端にフック部が設けられ、かつ、導電棒３１は、支持プレート２におけるワーク収容領域２１に対応した位置に対し、少なくとも１つの導電押圧バー３２を延設して、位置決め板３における導電端子用貫通孔３３に導電押圧バー３２の導電端子３２１を貫通させた後、ワーク収容領域２１中に当接させる。かつ、導電端子用貫通孔３３は、被めっき物３の部分めっき領域４１に対応している。また、位置決め板３には、支持プレート２の位置決め突起２３に対応する、支持プレート２の位置決め突起２３を貫通するための複数の突起用貫通孔３４が設けられている。
【００１０】
上記構成により、使用者が直接に被めっき物４を各ワーク収容領域２１中に置くだけで、被めっき物４を設置し固定する動作を直ちに完成でき、その後、位置決め板３を支持プレート２にかぶせる。位置決め板３の突起用貫通孔３４に支持プレート３の位置決め突起２３を貫通させることで、位置決め板３を固定し、支持プレート２の上にしっかりと設置することができる。
【００１１】
また、位置決め板３を押圧し固定するために、支持プレート２の２つの対応した位置決め片２２の挿入孔２２１に位置決めバー２５を貫通させる。かつ、位置決め板３の導電端子用貫通孔３３から貫通した導電端子３２１を被めっき物４のめっき領域４１に直接に当接させる。これにより、使用者に逐一調整する面倒を省くことができる。
【００１２】
以上に述べたように、本考案は、支持プレート２に被めっき物を直接に設置して固定させることにより、使用者による調整は全く不要になる。その後、位置決め板３を支持プレート２にかぶせるだけで、導電端子３２１と被めっき物４の部分めっき領域４１との設置を直ちに完成でき、この場合にも使用者による調整は全く不要になる。このような構成は、従来の電気めっき用ラックの使用上の不便と面倒を解決するものである。
【符号の説明】
【００１３】
１  電気めっき用ラック
１０  ラック本体
１１  フック
１２  導電棒
１２１  導電端子
１３  挟持部
１３１  固定バー
２  支持プレート
２１  ワーク収容領域
２１１  ストッパ
２２  位置決め片
２２１  挿入孔
２３  位置決め突起
２４  側面
２５  位置決め挿入バー
３  位置決め板
３１  導電棒
３２  導電押圧バー
３２１  導電端子
３３  導電端子用貫通孔
３４  突起用貫通孔
４  被めっき物
４１  領域
【図１】
0003183212.tif 000003
【図２】
0003183212.tif 000004
【図３】
0003183212.tif 000005
【図４】
0003183212.tif 000006
【図５】
0003183212.tif 000007